(57)【要約】【課題】利用者がモニタの操作をしなくても、ＴＶ電話による通話を行なうことが可能なセットトップボックスを提供すること。【解決手段】ＳＴＢ１は、ＩＰ網４を介して相手からの着信要求があった場合、または子機２からの発信要求があった場合に、ＴＶ３の電源をオンにする。したがって、利用者がＴＶ３の操作をしなくても、ＴＶ電話による通話を行なうことが可能となる。【選択図】図１
2007243811.tif 000002
【特許請求の範囲】
【請求項１】
テレビ電話による映像データおよび音声データを送受信するセットトップボックスであって、
回線の接続状態の変化を検出する第１の検出手段と、
前記第１の検出手段によって回線の接続状態の変化が検出されたときに、モニタの電源の制御、または相手に対して前記モニタの電源状態の通知制御を行なう制御手段とを含む、セットトップボックス。
【請求項２】
前記第１の検出手段によって相手からの着信要求または電話機からの発信要求が検出されたときに、前記制御手段は前記モニタの電源をオンにする、請求項１記載のセットトップボックス。
【請求項３】
前記セットトップボックスはさらに、前記モニタの電源状態を検出する第２の検出手段を含み、
前記第２の検出手段によって前記モニタの電源がオフであることが検出されたときに、前記制御手段は前記モニタの電源をオンにする、請求項２記載のセットトップボックス。
【請求項４】
前記制御手段は、前記第２の検出手段によって検出された前記モニタの電源状態を記憶しておき、前記第１の検出手段によって回線切断が検出されたときに、前記モニタの電源状態を元の状態に復旧させる、請求項３記載のセットトップボックス。
【請求項５】
前記モニタがテレビ受像機であり、
前記制御手段は、前記テレビ受像機のチャンネルをテレビ電話の表示のためのチャンネルに切替える、請求項２〜４のいずれかに記載のセットトップボックス。
【請求項６】
前記第１の検出手段によって相手からの着信要求または電話機からの発信要求が検出されたときに、前記制御手段は前記モニタの電源状態を相手に通知する、請求項１記載のセットトップボックス。
【請求項７】
前記セットトップボックスはさらに、前記モニタの電源状態を検出する第２の検出手段を含み、
前記制御手段は、前記第２の検出手段によって検出された電源状態を相手に通知する、請求項６記載のセットトップボックス。
【請求項８】
前記セットトップボックスと前記モニタとがＤ端子によって接続され、
前記第２の検出手段は、Ｄ端子の挿入信号を検出することによって前記モニタの電源状態を検出する、請求項３，４または７記載のセットトップボックス。
【請求項９】
請求項１〜８のいずれかに記載のセットトップボックスおよびモニタを含んだテレビ電話システムであって、
前記モニタは、前記セットトップボックスから受けた映像信号から同期信号を分離し、該同期信号が所定周期の場合に前記モニタの電源をオンする電源制御手段を含む、テレビ電話システム。
【請求項１０】
テレビ電話システムにおけるモニタの電源を制御するモニタ電源制御方法であって、
相手からの着信要求または電話機からの発信要求を検出するステップと、
前記検出結果に応じて前記モニタの電源をオンにするステップとを含む、モニタ電源制御方法。
【発明の詳細な説明】
【技術分野】
【０００１】
本発明は、ＩＰ（Internet Protocol）電話を用いた通話中に、映像を送受信する技術に関し、特に、音声情報および映像情報を送受信すると共にモニタの電源を制御するセットトップボックス（以下、ＳＴＢと呼ぶ。）、それを含んだテレビ電話システムおよびモニタ電源制御方法に関する。
【背景技術】
【０００２】
近年、インターネット網を介して音声情報を送受信するＩＰ電話が普及してきており、ＩＰ電話を利用したテレビ電話（以下、ＴＶ電話と呼ぶ。）システムの開発も進んでいる。このようなＴＶ電話システムにおいては、相手の顔などの映像を表示するモニタとしてＴＶ受像機などが利用されている。これに関連する技術として、特許文献１および特許文献２に開示された発明がある。
【０００３】
特許文献１に開示されたテレビ電話のオンライン制御方法においては、モジュラケーブルの通話回線以外の空き回線に割り当てられた電源制御線を通して、テレビ電話の電源をオン／オフするためのオン／オフ信号を、センタから端末側アダプタを経てテレビ電話に供給する。これによって、センタ側でテレビ電話の電源のオン／オフを行うものである。
【０００４】
特許文献２に開示された入力操作システムにおいては、マルチメディアフォン本体でテレビ電話またはＩＰ電話が起動し、電話が接続されると、マルチメディアフォン本体とワイヤレスマウスとの間で音声チャネルのリンクを確立した後、ワイヤレスマウスに付属のマイクをＯＮ状態に設定し、マイクを通じて音声信号をマルチメディアフォン本体に入力するものである。マイクがオン状態に設定されている場合、マウスの操作信号が発生しなくても、ワイヤレスマイクは省電力モードに移行しない。
【特許文献１】特許第３０７５７７４号公報
【特許文献２】特開２００２−１４０１６２号公報
【発明の開示】
【発明が解決しようとする課題】
【０００５】
上述のように、ＴＶ電話システムのモニタとしてＴＶなどが利用されているが、相手からの着信があった場合に、ＴＶの電源が入っていなければ画面上に着信マークを表示したり、着信アナウンスや呼出音をモニタ経由で出力することができないといった問題があった。
【０００６】
また、このような問題は、上述した特許文献１または特許文献２に開示された発明を用いたとしても解決することはできない。
【０００７】
本発明は、上記問題点を解決するためになされたものであり、その目的は、利用者がモニタの操作をしなくても、ＴＶ電話による通話を行なうことが可能なセットトップボックス、それを含んだテレビ電話システムおよびモニタ電源制御方法を提供することである。
【課題を解決するための手段】
【０００８】
本発明のある局面に従えば、テレビ電話による映像データおよび音声データを送受信するセットトップボックスであって、回線の接続状態の変化を検出する第１の検出手段と、第１の検出手段によって回線の接続状態の変化が検出されたときに、モニタの電源の制御、または相手に対してモニタの電源状態の通知制御を行なう制御手段とを含む。
【０００９】
好ましくは、第１の検出手段によって相手からの着信要求または電話機からの発信要求が検出されたときに、制御手段はモニタの電源をオンにする。
【００１０】
さらに好ましくは、セットトップボックスはさらに、モニタの電源状態を検出する第２の検出手段を含み、第２の検出手段によってモニタの電源がオフであることが検出されたときに、制御手段はモニタの電源をオンにする。
【００１１】
さらに好ましくは、制御手段は、第２の検出手段によって検出されたモニタの電源状態を記憶しておき、第１の検出手段によって回線切断が検出されたときに、モニタの電源状態を元の状態に復旧させる。
【００１２】
好ましくは、モニタがテレビ受像機であり、制御手段は、テレビ受像機のチャンネルをテレビ電話の表示のためのチャンネルに切替える。
【００１３】
好ましくは、第１の検出手段によって相手からの着信要求または電話機からの発信要求が検出されたときに、制御手段はモニタの電源状態を相手に通知する。
【００１４】
さらに好ましくは、セットトップボックスはさらに、モニタの電源状態を検出する第２の検出手段を含み、制御手段は、第２の検出手段によって検出された電源状態を相手に通知する。
【００１５】
好ましくは、セットトップボックスとモニタとがＤ端子によって接続され、第２の検出手段は、Ｄ端子の挿入信号を検出することによってモニタの電源状態を検出する。
【００１６】
好ましくは、セットトップボックスおよびモニタを含んだテレビ電話システムであって、モニタは、セットトップボックスから受けた映像信号から同期信号を分離し、同期信号が所定周期の場合にモニタの電源をオンする電源制御手段を含む。
【００１７】
本発明の別の局面に従えば、テレビ電話システムにおけるモニタの電源を制御するモニタ電源制御方法であって、相手からの着信要求または電話機からの発信要求を検出するステップと、検出結果に応じてモニタの電源をオンにするステップとを含む。
【発明の効果】
【００１８】
本発明のある局面によれば、第１の検出手段によって回線の接続状態の変化が検出されたときに、制御手段が、モニタの電源の制御、または相手に対してモニタの電源状態の通知制御を行なうので、発信側または着信側のモニタの電源制御が容易に行なえるようになる。
【００１９】
また、第１の検出手段によって相手からの着信要求または電話機からの発信要求が検出されたときに、制御手段はモニタの電源をオンにするので、利用者がモニタの操作をしなくても、テレビ電話による通話を行なうことが可能となる。
【００２０】
また、第２の検出手段によってモニタの電源がオフであることが検出されたときに、制御手段がモニタの電源をオンにするので、モニタの電源制御がより正確に行なえるようになる。
【００２１】
また、制御手段は、第２の検出手段によって検出されたモニタの電源状態を記憶しておき、第１の検出手段によって回線切断が検出されたときに、モニタの電源状態を元の状態に復旧させるので、利用者がモニタの操作をしなくても、モニタを元の状態に戻すことが可能となる。
【００２２】
また、制御手段が、テレビ受像機のチャンネルをテレビ電話の表示のためのチャンネルに切替えるので、利便性がさらに向上する。
【００２３】
また、第１の検出手段によって相手からの着信要求または電話機からの発信要求が検出されたときに、制御手段がモニタの電源状態を相手に通知するので、相手側でテレビ電話として動作すべきか否かを容易に判定することが可能となる。
【００２４】
また、制御手段は、第２の検出手段によって検出された電源状態を相手に通知するので、電源状態の通知をさらに正確に行なうことが可能となる。
【００２５】
また、第２の検出手段は、Ｄ端子の挿入信号を検出することによってモニタの電源状態を検出するので、セットトップボックスとモニタとがＤ端子によって接続されている場合でも、モニタの電源状態を容易に検出することが可能となる。
【００２６】
また、モニタが、セットトップボックスから受けた映像信号から同期信号を分離し、同期信号が所定周期の場合にモニタの電源をオンする電源制御手段を含むので、モニタ側で電源制御を行なうことが可能となる。
【００２７】
本発明の別の局面によれば、相手からの着信要求または電話機からの発信要求を検出してモニタの電源をオンにするので、利用者がモニタの操作をしなくても、テレビ電話による通話を行なうことが可能となる。
【発明を実施するための最良の形態】
【００２８】
図１は、本発明の実施の形態におけるＴＶ電話システムの構成例を示すブロック図である。このＴＶ電話システムは、ＩＰ網４を介して音声パケットおよび映像パケットを送受信するＳＴＢ１と、無線によってＳＴＢ１と接続される電話子機２と、ＳＴＢ１によって受信された相手の映像および音声を出力するモニタとしてのＴＶ３とを含む。
【００２９】
ＳＴＢ１は、相手からの音声パケットおよび映像パケットをＩＰ網４を介して受信してデコードし、音声信号および映像信号に変換してＴＶ３に出力する。また、ＳＴＢ１は、相手からの音声パケットを子機２に中継する。
【００３０】
また、ＳＴＢ１はカメラ５を備えており、カメラ５によって撮影された話者の顔などの映像から映像パケットを生成し、ＩＰ網４を介して相手のＴＶ電話に送信する。また、ＳＴＢ１は図示しないマイクを備えており、そのマイクによって集音された話者の音声などから音声パケットを生成し、ＩＰ網４を介して相手のＴＶ電話に送信する。
【００３１】
また、ＳＴＢ１は、子機２から受けた音声パケットをＩＰ網４を介して相手のＴＶ電話に中継する。
【００３２】
ＳＴＢ１は、ＴＶ３とＤ端子、ＨＤＭＩ（High-Definition Multimedia Interface）端子などで接続されており、映像データおよび音声データをデコードして得られた映像信号および音声信号をＴＶ３に出力する。着信時には、ＳＴＢ１はＴＶ３の画面に着信マークを表示させたり、着信アナウンスや呼出音を出力させたりする。また、ＳＴＢ１とＴＶ３とがイーサネット（登録商標）、ｉＬＩＮＫ（ＩＥＥＥ（The Institute of Electrical and Electronics Engineers, Inc.）１３９４）などの通信手段で接続されていてもよい。
【００３３】
子機２は、ワイヤレスＩＰ電話、Bluetooth電話などによって構成され、ＳＴＢ１との間で無線による音声パケットの送受信が行われる。子機２は、ＴＶ電話としてだけではなく、通常の音声のみのＩＰ電話としても使用可能である。着信時には、ＳＴＢ１からの着信要求により子機２は呼出音を出力する。
【００３４】
図２は、本発明の実施の形態におけるＳＴＢ１の概略構成を示すブロック図である。このＳＴＢ１は、ＩＰ網４と接続されるイーサネット（登録商標）ＩＦ（Interface）１１と、無線によって子機２との間で通信を行なう無線ＩＦ１２と、ｉＬＩＮＫ  ＩＦ１３と、有線によって図示しない電話機と接続するＴＥＬ  ＩＦ１４と、映像・音声デコーダ１５と、ＴＶ３の電源のオン／オフを検出するＴＶ電源検出部１６と、カメラ５およびマイクから入力された映像および音声をエンコードする映像・音声エンコーダ１７と、図示しないリモコンと接続されるリモコンＩＦ１８と、ＳＴＢ１の全体的な制御を行なうＣＰＵ１９とを含む。
【００３５】
ＣＰＵ１９は、図示しないメモリに格納されたプログラムを実行することにより、ＴＶ３の電源を制御するＴＶ電源制御部２０および電話機との接続の制御などを行なうＴＥＬ制御部２１などの機能を実現する。
【００３６】
イーサネット（登録商標）ＩＦ１１は、ＩＰ網４を介して相手のＴＶ電話との間で映像パケットおよび音声パケットの送受信を行なう。
【００３７】
無線ＩＦ１２は、Bluetoothなどにより無線で子機２との通信を行なう。着信時には、子機２に着信要求を送信することにより、子機２に呼出音を出力させる。また、ＴＶ電話による会話中には、子機２から音声パケットを受信し、イーサネット（登録商標）ＩＦ１１に音声パケットを送信させる。また、無線ＩＦ１２は、イーサネット（登録商標）ＩＦ１１によって受信された音声パケットを子機２に送信する。
【００３８】
ｉＬＩＮＫ  ＩＦ１３は、ケーブルによってＴＶ３と接続され、ＴＶ３との間でデータ通信を行なう。ＴＶ３とのデータ通信は、イーサネット（登録商標）ＩＦ１１を介して行なわれてもよい。
【００３９】
ＴＥＬ  ＩＦ１４は、有線により電話機を接続する場合に用いられる。
映像・音声デコーダ１５は、イーサネット（登録商標）ＩＦ１１によって受信された映像パケットに含まれる映像データおよび音声パケットに含まれる音声データをデコードしてＴＶ３に出力する。
【００４０】
ＴＶ電源検出部１６は、ＴＶ３の電源の状態がオンであるか、オフであるかを検出してＴＶ電源制御部２０に通知する。なお、ＴＶ電源検出部１６による電源状態の検出方法は、後述のようにＴＶ３がｉＬＩＮＫ、イーサネット（登録商標）などのデータ通信可能なＩＦによって接続されている場合、Ｄ端子によって接続されている場合、ＨＤＭＩによって接続されている場合などのように、接続方法によって異なる。
【００４１】
映像・音声エンコーダ１７は、カメラ５によって撮影された映像データおよびマイクによって集音された音声データをエンコードし、ＴＥＬ制御部２１に出力する。
【００４２】
リモコンＩＦ１８は、リモコンによってＴＶ３の制御を行なう。後述のように、リモコンＩＦ１８は、電源オフの状態にあるＴＶ３の電源をオンにしたり、ＴＶ３のチャンネルを切替えたりする場合に用いられる。
【００４３】
ＴＶ電源制御部２０は、イーサネット（登録商標）ＩＦ１１を介して相手のＴＶ電話から着信要求を受けた場合、または子機２から発信要求を受けた場合に、ＴＶ電源検出部１６によって検出されたＴＶ３の電源状態を取得し、リモコンＩＦ１８を介してＴＶ３の電源制御、チャンネル切替えなどを行なう。
【００４４】
ＴＥＬ制御部２１は、イーサネット（登録商標）ＩＦ１１、無線ＩＦ１２およびＴＥＬ  ＩＦ１４を制御して、後述のようにＳＩＰ（Session Initiation Protocol）の制御、映像パケットおよび音声パケットの送受信の制御などを行なう。
【００４５】
図３は、本発明の実施の形態における子機２の概略構成を示すブロック図である。この子機２は、ＩＰ網４と接続されるイーサネット（登録商標）ＩＦ３１と、無線によってＳＴＢ１との間で通信を行なう無線ＩＦ３２と、イーサネット（登録商標）ＩＦ３１または無線ＩＦ３２を介して受信した音声パケットに含まれる音声データを復号し、入力された音声データを符号化する音声ＣＯＤＥＣ（COder-DECoder）３３と、話者の音声などを入力して音声データとして音声ＣＯＤＥＣ３３に出力する音声入力部３４と、相手の音声などを出力する音声出力部３５とを含む。
【００４６】
イーサネット（登録商標）ＩＦ３１は、ＩＰ網４を介して相手のＩＰ電話との間で音声パケットの送受信を行なう。このイーサネット（登録商標）ＩＦ３１を介して相手と通信する場合には、ＳＴＢ１を経由せずに直接相手との通信が可能である。
【００４７】
無線ＩＦ３２は、Bluetoothなどにより無線でＳＴＢ１との通信を行なう。発信時には、無線ＩＦ３２がＳＴＢ１に発信要求を送信することにより、相手のＴＶ電話との接続を行なう。着信時には、無線ＩＦ３２がＳＴＢ１から着信要求を受信することにより、呼出音を出力する。また、ＴＶ電話による会話中には、ＳＴＢ１との間で音声パケットの送受信を行なう。
【００４８】
音声ＣＯＤＥＣ３３は、イーサネット（登録商標）ＩＦ３１または無線ＩＦ３２によって受信された音声パケットに含まれる音声データを復号して音声出力部３５に出力する。また、音声ＣＯＤＥＣ３３は、音声入力部３４から音声データを受けると、音声データを符号化してイーサネット（登録商標）ＩＦ３１または無線ＩＦ３２に出力する。
【００４９】
図４は、ＳＩＰを用いたＴＶ電話のセッションを説明するためのシーケンス図である。図４においては、ＴＶ電話Ａがセッションを開始し、ＴＶ電話Ａからのオファーに対してＴＶ電話Ｂがアンサーを行なう場合を示している。
【００５０】
まず、ＴＶ電話ＡがＴＶ電話Ｂに対してＩＮＶＩＴＥをメッセージを送信する（Ｔ１１）。このＩＮＶＩＴＥのＳＤＰ（Session Description Protocol）には、ＴＶ電話Ａが対応する音声コーディック、ＴＶ電話Ａが対応するビデオ・コーディックなどの情報が記述されている。
【００５１】
ＴＶ電話ＢがＴＶ電話ＡからＩＮＶＩＴＥメッセージを受信すると、ＴＶ電話ＢはＴＶ電話Ａが対応する音声コーディックおよびビデオ・コーディックの中から、どの音声ストリームおよびビデオ・ストリームを用いて音声パケットおよび映像パケットの送受信を行なうかを記述した２００  ＯＫメッセージをＴＶ電話Ａに送信する（Ｔ１２）。
【００５２】
ＴＶ電話ＡがＴＶ電話Ｂに対してＡＣＫメッセージを送信することにより（Ｔ１３）、ＴＶ電話による音声パケットおよび映像パケットの送受信が開始される（Ｔ１４）。
【００５３】
ＴＶ電話による会話中に、ＴＶ電話Ｂが音声ストリームを受信するポート番号などの変更を行ないたい場合には、変更内容を記述したｒｅ−ＩＮＶＩＴＥメッセージをＴＶ電話Ａに送信する（Ｔ１５）。
【００５４】
ＴＶ電話Ａは、ＴＶ電話Ｂからｒｅ−ＩＮＶＩＴＥメッセージを受信すると、それに応答して相手の音声ストリームのポート番号を変更し、ＴＶ電話Ｂに２００  ＯＫメッセージを送信する（Ｔ１６）。
【００５５】
ＴＶ電話ＢがＴＶ電話Ａに対してＡＣＫメッセージを送信することにより（Ｔ１７）、新しいメディアでの通話が開始される（Ｔ１８）。
【００５６】
図５は、Ｄ端子によってＳＴＢ１とＴＶ３とが接続される場合のＴＶ３の電源検出を説明するための図である。ケーブル４１の両端には、Ｄ端子プラグ４２および４４が設けられており、Ｄ端子プラグ４２がＳＴＢ１のＤ端子リセプタクル４３に接続され、Ｄ端子プラグ４４がＴＶ３のＤ端子リセプタクル４５に接続される。
【００５７】
図５に示すように、ＳＴＢ１のＤ端子リセプタクル４３の(14)ピンが抵抗素子を介して電源に接続され、(12)ピンがＧＮＤに接続されている。ＳＴＢ１は、(14)ピンの電圧を検出することによってＤ端子プラグ４２が接続されているか否かを検出することができる。
【００５８】
同様に、ＴＶ３のＤ端子リセプタクル４５の(14)ピンが抵抗素子Ｒ２を介して電源に接続され、(12)ピンがＧＮＤに接続されている。ＴＶ３は、(14)ピンの電圧を検出することによってＤ端子プラグ４４が接続されているか否かを検出することができる。
【００５９】
また、Ｄ端子プラグ４４の内部において、(12)ピンと(14)ピンとが抵抗素子Ｒ１を介して接続されており、(14)ピンが予備ラインである(7)ピンに接続されている。ＴＶ電源検出部１６は、(7)ピンと(12)ピンとの電位差を検出し、電位差が０ＶであればＴＶ３の電源がオフであると判定し、電位差が所定値以上であればＴＶ３の電源がオンであると判定する。なお、抵抗素子Ｒ１の抵抗値は抵抗素子Ｒ２よりも小さく、ＴＶ３がＤ端子プラグ４４が接続されているか否かを検出するのに支障がない値が選択される。上記電位差の所定値は、抵抗素子Ｒ１およびＲ２の抵抗値によって決定される。
【００６０】
ＳＴＢ１とＴＶ３とがＨＤＭＩによって接続されている場合には、ＴＶ電源検出部１６はＨＤＭＩの(13)ピンにアサインされているＣＥＣ（Consumer Electronics Control）または(15)、(16)ピンにアサインされているＩ２Ｃ（International Institute for Communications）の通信機能を用いてＴＶ３にコマンドを送信し、ＴＶ３からレスポンスがあればＴＶ３の電源がオンであると判定する。
【００６１】
ＳＴＢ１とＴＶ３とがｉＬＩＮＫ、イーサネット（登録商標）などのＩＦを介して接続されている場合には、この通信機能を用いてＴＶ３にコマンドを送信し、ＴＶ３からレスポンスがあればＴＶ３の電源がオンであると判定する。
【００６２】
図６は、ＴＶ３に設けられる自動映像信号検出回路の一例を示す図である。この自動映像信号検出回路５１は、ＳＴＢ１から映像信号が出力されているか否かを検出し、映像信号が出力されている場合にはＴＶ３の電源を自動的にオンするものである。自動映像信号検出回路５１は、ＳＴＢ１から受けた映像信号から同期信号を分離する同期信号分離部５２と、同期信号分離部５２によって分離された同期信号の周期を検出する周期検出部５３と、周期検出部５３による検出結果に応じて電源ＯＮ信号を生成して出力する電源ＯＮ信号発生部５４と、ＯＲ回路５５とを含む。
【００６３】
同期信号分離部５２は、ＳＴＢ１から受けた映像信号から垂直同期（VSYNC）信号または水平同期（HSYNC）信号を分離し、同期信号のみを周期検出部５３に出力する。
【００６４】
周期検出部５３は、同期信号分離部５２によって分離された同期信号を受け、その周期を判定する。周期検出部５３は、同期信号の周期が所定周期であれば、ＳＴＢ１から映像信号が出力されていると判定し、判定結果を電源ＯＮ信号発生部５４に出力する。
【００６５】
電源ＯＮ信号発生部５４は、同期検出部５３がＳＴＢ１から映像信号が出力されていると判定すると、ＴＶ３の電源をオンするための電源ＯＮ信号を生成してＯＲ回路５５に出力する。ＯＲ回路５５は、通常の電源ＯＮ／ＯＦ信号と電源ＯＮ信号発生部５４から出力される電源ＯＮ信号をの論理和をとり、ＴＶ電源ＯＮ／ＯＦＦ信号として出力する。ＴＶ３の電源のオン／オフは、このＴＶ電源ＯＮ／ＯＦＦ信号によって行なわれる。
【００６６】
図７は、本発明の実施の形態におけるＴＶ電話システムの発呼時における各機器の処理手順を説明するための図である。まず、利用者が子機２または有線で接続された電話機（以下、これらを電話機と総称する。）のオフフックを行なうと（Ｔ２１）、ＳＴＢ１が電話機のオフフックを検出し（Ｔ２２）、電話機に発信音を出力する（Ｔ２３）。
【００６７】
次に、利用者は、電話機を用いてダイアリングを行なうと共に、接続モードを設定する（Ｔ２４）。この接続モードとは、ＩＰ電話のみの通話であるか、ＴＶ電話による通話であるかを示す情報である。たとえば、利用者が特別キーを押下した後にテンキーを押下することによって、接続モードを設定する。
【００６８】
ＳＴＢ１は、電話機からダイアリングおよび接続モードを受けると、ＴＶ電源検出部１６がＴＶ３の電源状態を検出する（Ｔ２４）。ここで、利用者によって予めＴＶ３の電源を自動でＯＮすることを許可するか否かの設定がなされているものとする。
【００６９】
ＴＶ電源制御部２０は、ＴＶ３の電源がＯＦＦであり、ＴＶ３の電源を自動でＯＮすることが許可されており、接続モードがＴＶ電話であれば、リモコンＩＦ１８を制御してＴＶ３の電源をＯＮし、相手のＴＶ電話からの映像を表示するためにチャンネルを切替える（Ｔ２５）。また、ＴＶ電源制御部２０は、既にＴＶ３の電源がＯＮの場合には、チャンネルの切替のみを行なう。
【００７０】
ＴＶ電源制御部２０は、ＴＶ３の電源を自動でＯＮすることが許可されていない場合、接続モードがＩＰ電話の場合には、ＴＶ３の電源の制御は行なわない。ＴＶ３の電源を自動でＯＮすることが許可されていない場合には、接続モードがＩＰ電話であるとして処理が行なわれる。
【００７１】
なお、ＴＶ３に図６に示す自動映像信号検出回路５１が設けられている場合には、映像・音声デコーダ１５が映像信号をＴＶ３に出力するだけで、ＴＶ３の電源をＯＮにすることが可能である。
【００７２】
次に、ＳＴＢ１は、図４を用いて説明した手順によって相手のＴＶ電話に発信を行ない（Ｔ２６）、相手のＴＶ電話とネゴシエーションを行なう（Ｔ２７）。このとき、接続モードがＴＶ電話であれば、対応している音声コーディックおよびビデオ・コーディックに関する情報が送信される。また、接続モードがＩＰ電話であれば、対応している音声コーディックの情報のみが送信される。また、ＴＶ３の電源状態に関する情報を送信するようにしてもよい。
【００７３】
ＳＴＢ１は、ネゴシエーションが完了すると、電話機およびＴＶ３に呼出音を出力させる（Ｔ２８）。このとき、ＴＶ３の画面に呼出メッセージを表示するようにしてもよい。
【００７４】
また、ＴＶ３の電源状態がＯＦＦであることを相手のＴＶ電話に通知した場合には、ＩＰ電話としてのネゴシエーションが行なわれる。
【００７５】
相手のＴＶ電話との接続がされると、ＴＶ電話による通話が開始される（Ｔ２９）。相手がＴＶ電話による通話を切断するためにオンフックを行なうと（Ｔ３０）、ＳＴＢ１は電話機およびＴＶ３に話中音を出力させる（Ｔ３１）。
【００７６】
ＳＴＢ１は、利用者が電話機をオンフックしたのを検出して切断を確認し（Ｔ３２）、ＴＶ３の電源状態およびチャンネル状態を復旧させる（Ｔ３３）。ＴＶ電話の開始前にＴＶ３の電源がＯＦＦ状態であったならば、ＴＶ電源制御部２０はリモコンＩＦ１８を制御してＴＶ３の電源をＯＦＦにする。また、ＴＶ電話の開始前にＴＶ３の電源がＯＮ状態であり、違うチャンネルが選択されていたならば、ＴＶ電源制御部２０はリモコンＩＦ１８を制御して、ＴＶ３のチャンネルを元のチャンネルに戻す。
【００７７】
なお、相手のＴＶ電話の呼出し中に、相手のＴＶ電話から一定時間応答がなければ呼出しを中止して、ＴＶ３の電源状態およびチャンネル状態を元の状態に復旧させる。
【００７８】
図８は、本発明の実施の形態におけるＴＶ電話システムの着呼時における各機器の処理手順を説明するための図である。まず、ＳＴＢ１は、相手のＴＶ電話から着信を受けると（Ｔ４１）、ＴＶ電源検出部１６がＴＶ３の電源状態を検出する（Ｔ４２）。
【００７９】
ＴＶ電源制御部２０は、ＴＶ３の電源がＯＦＦであり、ＴＶ３の電源を自動でＯＮすることが許可されており、接続モードがＴＶ電話であれば、リモコンＩＦ１８を制御してＴＶ３の電源をＯＮし、相手のＴＶ電話からの映像を表示するためにチャンネルを切替える（Ｔ４３）。また、ＴＶ電源制御部２０は、既にＴＶ３の電源がＯＮの場合には、チャンネルの切替のみを行なう。
【００８０】
なお、発信時と同様に、ＴＶ電源制御部２０は、ＴＶ３の電源を自動でＯＮすることが許可されていない場合、接続モードがＩＰ電話の場合には、ＴＶ３の電源の制御は行なわない。
【００８１】
次に、ＳＴＢ１は、図４を用いて説明した手順によって相手のＴＶ電話とネゴシエーションを行なう（Ｔ４４）。このとき、ＴＶ３の電源をＯＮにしてＴＶ電話が可能な状態であれば、どの音声ストリームおよびビデオ・ストリームを用いて音声パケットおよび映像パケットの送受信を行なうかを相手のＴＶ電話に送信する。また、ＴＶ３の電源がＯＦＦであることを送信し、ＩＰ電話としてネゴシエーションするようにしてもよい。
【００８２】
ＳＴＢ１は、ネゴシエーションが完了すると、電話機およびＴＶ３に呼出音を出力させる（Ｔ４５）。このとき、ＴＶ３の画面に呼出メッセージを表示するようにしてもよい。
【００８３】
相手のＴＶ電話との接続がされると、ＴＶ電話による通話が開始される（Ｔ４６）。利用者がＴＶ電話による通話を切断するためにオンフックを行なうと（Ｔ４７）、ＳＴＢ１は相手のＴＶ電話に対して切断要求を送信する（Ｔ４８）。
【００８４】
そして、ＴＶ３の電源状態およびチャンネル状態を復旧させる（Ｔ４９）。ＴＶ電話の開始前にＴＶ３の電源がＯＦＦ状態であったならば、ＴＶ電源制御部２０はリモコンＩＦ１８を制御してＴＶ３の電源をＯＦＦにする。また、ＴＶ電話の開始前にＴＶ３の電源がＯＮ状態であり、違うチャンネルが選択されていたならば、ＴＶ電源制御部２０はリモコンＩＦ１８を制御して、ＴＶ３のチャンネルを元のチャンネルに戻す。
【００８５】
以上の説明においては、リモコンＩＦ１８を用いてＴＶ３の電源およびチャンネルを制御するとしてが、イーサネット（登録商標）、ｉＬＩＮＫなどのコミュニケーション手段がある場合には、通信でＴＶ３の電源およびチャンネルを制御するようにしてもよい。
【００８６】
また、利用者がＴＶ３を見ている状態で相手のＴＶ電話から着信があった場合には、ＴＶ電話の着信映像を現在見ているチャンネルの画面にオーバレイして表示したり、子画面でＴＶ電話の着信映像を表示したりしてもよい。
【００８７】
以上説明したように、本実施の形態におけるＳＴＢ１によれば、子機２からＴＶ電話の発信要求があった場合、および相手のＴＶ電話から着信要求があった場合に、ＴＶ３の電源状態を検出して自動的にＴＶ３の電源をオンするようにしたので、利用者は相手からＴＶ電話による着信要求があることを容易に認識することができ、利便性を向上させることが可能となった。
【００８８】
また、ＴＶ電源検出部１６は、Ｄ端子、ＨＤＭＩ、ｉＬＩＮＫ、イーサネット（登録商標）などを用いてＴＶ３の電源状態を検出するようにしたので、ＳＴＢ１とＴＶ３との接続を変更することなく、ＴＶ３の電源状態を容易に検出することが可能となった。
【００８９】
また、ＳＴＢ１は、相手のＴＶ電話からの着信があった時のＴＶ３の電源状態に応じて、ＴＶ３の電源およびチャンネルを制御し、切断時にＴＶ３の電源状態およびチャンネル状態を復旧するようにしたので、利用者はＴＶ３の操作をしなくてもＴＶ電話による通話を行なえるようになった。
【００９０】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９１】
【図１】本発明の実施の形態におけるＴＶ電話システムの構成例を示すブロック図である。
【図２】本発明の実施の形態におけるＳＴＢ１の概略構成を示すブロック図である。
【図３】本発明の実施の形態における子機２の概略構成を示すブロック図である。
【図４】ＳＩＰを用いたＴＶ電話のセッションを説明するためのシーケンス図である。
【図５】Ｄ端子によってＳＴＢ１とＴＶ３とが接続される場合のＴＶ３の電源検出を説明するための図である。
【図６】ＴＶ３に設けられる自動映像信号検出回路の一例を示す図である。
【図７】本発明の実施の形態におけるＴＶ電話システムの発呼時における各機器の処理手順を説明するための図である。
【図８】本発明の実施の形態におけるＴＶ電話システムの着呼時における各機器の処理手順を説明するための図である。
【符号の説明】
【００９２】
１  ＳＴＢ、２  電話子機、３  ＴＶ、４  ＩＰ網、５  カメラ、１１，３１  イーサネット（登録商標）ＩＦ、１２，３２  無線ＩＦ、１３  ｉＬＩＮＫ  ＩＦ、１４  ＴＥＬ  ＩＦ、１５  映像・音声デコーダ、１６  ＴＶ電源検出部、１７  映像・音声エンコーダ、１８  リモコンＩＦ、１９  ＣＰＵ、２０  ＴＶ電源制御部、２１  ＴＥＬ制御部、３３  音声ＣＯＤＥＣ、３４  音声入力部、３５  音声出力部、４１  ケーブル、４２，４４  Ｄ端子プラグ、４３，４５  Ｄ端子リセプタクル、５１  自動映像信号検出回路、５２  同期信号分離部、５３  周期検出部、５４  電源ＯＮ信号発生部、５５  ＯＲ回路。
【図１】
2007243811.tif 000003
【図２】
2007243811.tif 000004
【図３】
2007243811.tif 000005
【図４】
2007243811.tif 000006
【図５】
2007243811.tif 000007
【図６】
2007243811.tif 000008
【図７】
2007243811.tif 000009
【図８】
2007243811.tif 000010